【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
第１のアプリケーションがデータを送信するための複数の送信先と、前記第１のアプリケーションを特定するための情報を登録する登録手段を有し、
第２のアプリケーションのデータを共有する指示を受け付けた場合に、前記登録手段により登録された前記複数の送信先から一つの送信先を、前記第２のアプリケーションのデータを共有するための共有先として選択可能な共有画面が表示され、
前記共有画面を介して前記共有先として前記第１のアプリケーションが前記データを送信するための前記一つの送信先が選択された場合に、前記第１のアプリケーションは共有する指示が行われた前記第２のアプリケーションのデータと、選択された前記一つの送信先を受け取ることを特徴とする情報処理装置。
【請求項２】
前記共有画面に表示された選択肢のうちから、前記第２のアプリケーションのデータの共有先として前記第１のアプリケーションの送信先が選択されると、前記第１のアプリケーションが、選択された前記送信先に前記データを送信することを特徴とする請求項１に記載の情報処理装置。
【請求項３】
前記第２のアプリケーションが共有するデータの拡張子と前記第１のアプリケーションが処理可能な拡張子が一致する場合に、前記第２のアプリケーションのデータの共有先として前記第１のアプリケーションのデータに対する前記複数の送信先を選択可能な前記共有画面が表示されることを特徴とする請求項１又は２に記載の情報処理装置。
【請求項４】
前記第１のアプリケーションは、前記共有画面で前記第２のアプリケーションのデータの共有先として前記第１のアプリケーションのデータに対する送信先が選択された場合に、選択された前記送信先が前記第１のアプリケーションの送信先のデフォルトとして表示され、さらにユーザーから前記送信先を変更する指示を受け付けた場合に選択された前記送信先が変更されることを特徴とする請求項１乃至３のいずれか１項に記載の情報処理装置。
【請求項５】
登録された前記第１のアプリケーションによるデータの送信先を削除する削除手段を更に有することを特徴とする請求項１乃至４のいずれか１項に記載の情報処理装置。
【請求項６】
前記第１のアプリケーションは、前記データを送信先へと送信するメールアプリケーションであることを特徴とする請求項１乃至５のいずれか１項に記載の情報処理装置。
【請求項７】
前記第１のアプリケーションは、前記データを送信先のプリンターにより印刷させる印刷アプリケーションであることを特徴とする請求項１乃至５のいずれか１項に記載の情報処理装置。
【請求項８】
複数のアプリケーションによりデータを共有可能な情報処理装置であって、
共有されるデータの種類と、該種類のデータを共有するアプリケーションの名称と、表示するオブジェクトと、前記アプリケーションに引き渡される引数とを対応付けて格納する共有情報リストと、
第１アプリケーションによりデータを開いているときの共有の指示に応じて前記共有情報リストを参照し、前記第１のアプリケーションにより開いているデータの種類に対応した前記オブジェクトを選択肢として表示する表示手段と、
前記選択肢から選択されたオブジェクトに対応した名称のアプリケーションを、該アプリケーションに前記データと前記引数とを引き渡して実行させる手段と
を有することを特徴とする情報処理装置。
【請求項９】
コンピュータに、
第１のアプリケーションがデータを送信するための複数の送信先と、前記第１のアプリケーションを特定するための情報を登録する登録工程を実行させるためのプログラムであって、
第２のアプリケーションのデータを共有する指示を受け付けた場合に、前記登録工程により登録された前記複数の送信先から一つの送信先を、前記第２のアプリケーションのデータを共有するための共有先として選択可能な共有画面が表示され、
前記共有画面を介して前記共有先として前記第１のアプリケーションが前記データを送信するための前記一つの送信先が選択された場合に、前記第１のアプリケーションは共有する指示が行われた前記第２のアプリケーションのデータと、選択された前記一つの送信先を受け取ることを特徴とするプログラム。
【請求項１０】
前記共有画面に表示された選択肢のうちから、前記第２のアプリケーションのデータの共有先として前記第１のアプリケーションの送信先が選択されると、前記第１のアプリケーションが、選択された前記送信先に前記データを送信することを特徴とする請求項９に記載のプログラム。
【請求項１１】
前記コンピュータに、
前記第２のアプリケーションが共有するデータの拡張子と前記第１のアプリケーションが処理可能な拡張子が一致する場合に、前記第２のアプリケーションのデータの共有先として前記第１のアプリケーションのデータに対する前記複数の送信先を選択可能な前記共有画面が表示されることを特徴とする請求項９又は１０に記載のプログラム。
【請求項１２】
前記第１のアプリケーションは、前記共有画面で前記第２のアプリケーションのデータの共有先として前記第１のアプリケーションのデータに対する送信先が選択された場合に、選択された前記送信先が前記第１のアプリケーションの送信先のデフォルトとして表示され、さらにユーザーから前記送信先を変更する指示を受け付けた場合に選択された前記送信先が変更されることを特徴とする請求項９乃至１１のいずれか１項に記載のプログラム。
【請求項１３】
前記コンピュータに、
登録された前記第１のアプリケーションによるデータの送信先を削除する削除工程を更に実行させることを特徴とする請求項９乃至１２のいずれか１項に記載のプログラム。
【請求項１４】
前記第２のアプリケーションは、前記データを送信先へと送信するメールアプリケーションであることを特徴とする請求項９乃至１３のいずれか１項に記載のプログラム。
【請求項１５】
前記第２のアプリケーションは、前記データを送信先のプリンターにより印刷させる印刷アプリケーションであることを特徴とする請求項９乃至１４のいずれか１項に記載のプログラム。
【請求項１６】
コンピュータに、
複数のアプリケーションによりデータを共有可能なコンピュータにおいて実行されるプログラムであって、
共有されるデータの種類と、該種類のデータを共有するアプリケーションの名称と、表示するオブジェクトと、前記アプリケーションに引き渡される引数とを対応付けて格納する共有情報リストと、
第１アプリケーションによりデータを開いているときの共有の指示に応じて前記共有情報リストを参照し、前記第１のアプリケーションにより開いているデータの種類に対応した前記オブジェクトを選択肢として表示する表示工程と、
前記選択肢から選択されたオブジェクトに対応した名称のアプリケーションを、該アプリケーションに前記データと前記引数とを引き渡して実行させる工程と
を実行させるためのプログラム。
【請求項１７】
第１のアプリケーションがデータを送信するための複数の送信先と、前記第１のアプリケーションを特定するための情報を登録する登録工程を有し、
第２のアプリケーションのデータを共有する指示を受け付けた場合に、前記登録工程により登録された前記複数の送信先から一つの送信先を、前記第２のアプリケーションのデータを共有するための共有先として選択可能な共有画面が表示され、
前記共有画面を介して前記共有先として前記第１のアプリケーションが前記データを送信するための前記一つの送信先が選択された場合に、前記第１のアプリケーションは共有する指示が行われた前記第２のアプリケーションのデータと、選択された前記一つの送信先を受け取ることを特徴とする情報処理方法。
【請求項１８】
第１のアプリケーションがデータを送信するための複数の送信先と、前記第１のアプリケーションを特定するための情報の登録を受け付ける受付手段と、
第２のアプリケーションのデータを共有する指示を受け付けた場合に、前記受付手段により受け付けて登録された前記複数の送信先から一つの送信先を、前記第２のアプリケーションのデータを共有するための共有先として選択可能な共有画面を表示する表示手段と、
前記共有画面を介して前記共有先として前記第１のアプリケーションが前記データを送信するための前記一つの送信先が選択された場合に、共有する指示が行われた前記第２のアプリケーションのデータと、選択された前記一つの送信先を前記第１のアプリケーションに送信する送信手段と、
を有することを特徴とする情報処理装置。
【請求項１９】
第１のアプリケーションがデータを送信するための複数の送信先と、前記第１のアプリケーションを特定するための情報の登録を受け付ける受付工程と、
第２のアプリケーションのデータを共有する指示を受け付けた場合に、前記受付工程により受け付けて登録された前記複数の送信先から一つの送信先を、前記第２のアプリケーションのデータを共有するための共有先として選択可能な共有画面を表示する表示工程と、
前記共有画面を介して前記共有先として前記第１のアプリケーションが前記データを送信するための前記一つの送信先が選択された場合に、共有する指示が行われた前記第２のアプリケーションのデータと、選択された前記一つの送信先を前記第１のアプリケーションに送信する送信工程と、
をコンピューターに実行させるためのプログラム。
【請求項２０】
第１のアプリケーションがデータを送信するための複数の送信先と、前記第１のアプリケーションを特定するための情報の登録を受け付ける受付工程と、
第２のアプリケーションのデータを共有する指示を受け付けた場合に、前記受付工程により受け付けて登録された前記複数の送信先から一つの送信先を、前記第２のアプリケーションのデータを共有するための共有先として選択可能な共有画面を表示する表示工程と、
前記共有画面を介して前記共有先として前記第１のアプリケーションが前記データを送信するための前記一つの送信先が選択された場合に、共有する指示が行われた前記第２のアプリケーションのデータと、選択された前記一つの送信先を前記第１のアプリケーションに送信する送信工程と、
を有することを特徴とする情報処理方法。
【手続補正２】
【補正対象書類名】明細書
【補正対象項目名】０００８
【補正方法】変更
【補正の内容】
【０００８】
本発明の第１の側面によれば、第１のアプリケーションがデータを送信するための複数の送信先と、前記第１のアプリケーションを特定するための情報を登録する登録手段を有し、
第２のアプリケーションのデータを共有する指示を受け付けた場合に、前記登録手段により登録された前記複数の送信先から一つの送信先を、前記第２のアプリケーションのデータを共有するための共有先として選択可能な共有画面が表示され、
前記共有画面を介して前記共有先として前記第１のアプリケーションが前記データを送信するための前記一つの送信先が選択された場合に、前記第１のアプリケーションは共有する指示が行われた前記第２のアプリケーションのデータと、選択された前記一つの送信先を受け取る。
本発明の第２の側面によれば、第１のアプリケーションがデータを送信するための複数の送信先と、前記第１のアプリケーションを特定するための情報の登録を受け付ける受付手段と、
第２のアプリケーションのデータを共有する指示を受け付けた場合に、前記受付手段により受け付けて登録された前記複数の送信先から一つの送信先を、前記第２のアプリケーションのデータを共有するための共有先として選択可能な共有画面を表示する表示手段と、
前記共有画面を介して前記共有先として前記第１のアプリケーションが前記データを送信するための前記一つの送信先が選択された場合に、共有する指示が行われた前記第２のアプリケーションのデータと、選択された前記一つの送信先を前記第１のアプリケーションに送信する送信手段とを有する。
【手続補正３】
【補正対象書類名】明細書
【補正対象項目名】０００９
【補正方法】変更
【補正の内容】
【０００９】
本発明の第３の側面によれば、複数のアプリケーションによりデータを共有可能な情報処理装置であって、
共有されるデータの種類と、該種類のデータを共有するアプリケーションの名称と、表示するオブジェクトと、前記アプリケーションに引き渡される引数とを対応付けて格納する共有情報リストと、
第１アプリケーションによりデータを開いているときの共有の指示に応じて前記共有情報リストを参照し、前記第１のアプリケーションにより開いているデータの種類に対応した前記オブジェクトを選択肢として表示する表示手段と、
前記選択肢から選択されたオブジェクトに対応した名称のアプリケーションを、該アプリケーションに前記データと前記引数とを引き渡して実行させる手段と
を有することを特徴とする。